(57)【要約】【課題】  空調ダクトのがたつきを抑制することのできる空調ダクトの接続構造を提供する。【解決手段】射出成形により成形された第１空調ダクト１７の開口部の内側に、ブロー成形により成形された第２空調ダクト４３が挿入されることで、双方の空気通路１７ａ，４３ａを連通する連通部Ｒが形成される。この状態においては、第１空調ダクト１７及び第２空調ダクト４３において成形精度の高い面同士、すなわち第１空調ダクト１７の内面と第２空調ダクト４３の外面とが間詰材を介して密着されている。【選択図】      図４
2006290192.tif 000002
【特許請求の範囲】
【請求項１】
コンソールボックスの内側に設けられて内部に第１空気通路を有する第１空調ダクトと、第２空気通路を有する第２空調ダクトと、前記第１空調ダクトと前記第２空調ダクトとを接続して前記第１空気通路と前記第２空気通路とを連通する連通部とからなる空調ダクトの接続構造であって、
前記第１空調ダクトは射出成形により成形されるとともに、前記第２空調ダクトはブロー成形により成形され、
前記連通部は、前記第１空調ダクトに設けられた開口部の内側に、前記第２空調ダクトが挿入されることによって形成されることを特徴とする空調ダクトの接続構造。
【請求項２】
前記連通部において、前記第１空調ダクトの内面と前記第２空調ダクトの外面との間には、間詰材が設けられていることを特徴とする請求項１に記載の空調ダクトの接続構造。
【請求項３】
前記第１空気通路は、複数の壁部によって囲まれた内側に形成されており、その複数の壁部のうちの１つである第１壁部は、前記コンソールボックスの意匠部によって構成されるとともに、該第１壁部において前記第１空気通路内に露出する内面上には、前記間詰材として断熱材が貼着されていることを特徴とする請求項２に記載の空調ダクトの接続構造。
【請求項４】
前記複数の壁部のうちの１つであって前記第１壁部に対向して配置された第２壁部は、前記コンソールボックスの収納体によって構成されており、該第２壁部において前記第１空気通路内に露出する内面上には、前記間詰材として断熱材が貼着されていることを特徴とする請求項３に記載の空調ダクトの接続構造。
【請求項５】
前記断熱材は、その一部が前記第２壁部の内面上から前記第１空気通路の外部へ向かって延出されており、該断熱材の一部が前記第２壁部の外面上に折り返されることによって折返部が形成されていることを特徴とする請求項４に記載の空調ダクトの接続構造。
【発明の詳細な説明】
【技術分野】
【０００１】
本発明は、コンソールボックスの内側に配設される空調ダクトの接続構造に関するものである。
【背景技術】
【０００２】
従来より、車両においては、空気調和装置から供給される空調空気を流通可能とする空調ダクトを、コンソールボックスの内部に配設する場合がある。例えば、特許文献１のコンソールボックスは、物品収納部を画成した本体部と、この本体部とは別体に形成されて該本体部の左前側に取着される左側体部と、同じく本体部とは別体に形成されて該本体部の右前側に取着される右側体部とを主体としている。これらのうち、左側体部及び右側体部は、ブロー成形によって中空状とすることにより、中間ダクト部を形成している。また、この中空ダクト部の前端部には、空気調和装置から延びる中空状の案内ダクト部が接続される。そして、これら中間ダクト部と案内ダクト部とにより、前記空気調和装置から供給される空調空気を車両後方側へ流通させる空気通路が形成されている。
【特許文献１】特開２００１−１２１９４５号公報
【発明の開示】
【発明が解決しようとする課題】
【０００３】
ところで、上記従来の特許文献１には、中間ダクト部のような中空物は、金型制作費が低く抑えられて製造コストの低廉を図ることが可能となるため、ブロー成形が適していると記載されている。同様の理由で、該特許文献１においては、中空物である案内ダクト部もまた、中間ダクト部と同じくブロー成形によって成形されていると思慮される。一方、こうしたブロー成形により成形される中空物は、内面形状の成形精度が外面形状の成形精度よりも低くなることが一般的に知られている。このため、ブロー成形により成形される中空物同士の接続において、いずれか一方の中空物の内側に他方の中空物を挿入する構成の場合には、前記一方の中空物の内形サイズが前記他方の中空物の外形サイズと合致せずに、両者間に隙間が形成されることが少なくない。そして、こうした隙間の形成により、前記他方の中空物が前記一方の中空物に対してがたつくといった不具合が少なからず生じていた。
【０００４】
この発明は、こうした従来の実情に鑑みてなされたものであり、その目的は、空調ダクトのがたつきを抑制することのできる空調ダクトの接続構造を提供することにある。
【課題を解決するための手段】
【０００５】
上記の目的を達成するために、請求項１に記載の発明の空調ダクトの接続構造は、コンソールボックスの内側に設けられて内部に第１空気通路を有する第１空調ダクトと、第２空気通路を有する第２空調ダクトと、前記第１空調ダクトと前記第２空調ダクトとを接続して前記第１空気通路と前記第２空気通路とを連通する連通部とからなる空調ダクトの接続構造であって、前記第１空調ダクトは射出成形により成形されるとともに、前記第２空調ダクトはブロー成形により成形され、前記連通部は、前記第１空調ダクトに設けられた開口部の内側に、前記第２空調ダクトが挿入されることによって形成されることを要旨とする。
【０００６】
上記構成によれば、射出成形により成形された第１空調ダクトの開口部の内側に、ブロー成形により成形された第２空調ダクトが挿入されることで、双方の空気通路を連通する連通部が形成される。なお、前記「連通部」とは、第１空調ダクトの開口部の内側において前記第２空調ダクトが挿入されている箇所をいう。ここで、第１空調ダクトは、射出成形により成形されるため、外面形状の成形精度と内面形状の成形精度とがほぼ等しく、その断面における外形サイズ及び内形サイズともに、ほぼ所望通りに設定することができる。一方、第２空調ダクトは、中空物の成形に適しているブロー成形により成形されているため、外面形状の成形精度が内面形状の成形精度よりも高く、その断面における外形サイズをほぼ所望通りに設定することができる。これらの点を鑑み、上記構成では、成形精度の高い面同士の係合、すなわち第１空調ダクトの内面と第２空調ダクトの外面との係合により両ダクトを接続している。このため、第１空調ダクトの内面と第２空調ダクトの外面との間に隙間が形成されることによるがたつきの発生といった不具合を抑制することができるようになる。
【０００７】
請求項２に記載の発明の空調ダクトの接続構造は、請求項１に記載の発明において、前記連通部において、前記第１空調ダクトの内面と前記第２空調ダクトの外面との間には、間詰材が設けられていることを要旨とする。
【０００８】
上記構成によれば、連通部において第１空調ダクトの内面と第２空調ダクトの外面とが間詰材を介して密着される。このため、これら空調ダクトのがたつきが好適に抑制されるようになる。また、この間詰材により、第１空調ダクトの内面と第２空調ダクトの外面との間が密封（シール）され、両者間からの空調空気の漏れが抑制されるようになる。
【０００９】
請求項３に記載の発明の空調ダクトの接続構造は、請求項２に記載の発明において、前記第１空気通路は、複数の壁部によって囲まれた内側に形成されており、その複数の壁部のうちの１つである第１壁部は、前記コンソールボックスの意匠部によって構成されるとともに、該第１壁部において前記第１空気通路内に露出する内面上には、前記間詰材として断熱材が貼着されていることを要旨とする。
【００１０】
上記構成によれば、コンソールボックスの意匠部を構成するとともに第１空気通路を構成する第１壁部の内面上には、間詰材として断熱材が貼着されている。これにより、空調ダクトのがたつきの抑制、空調空気の漏れの抑制のみならず、コンソールボックスの意匠部において、その断熱効果が高まる。このため、第１空調ダクトの内部（第１空気通路）と外部（車室内）との温度差が大きい場合にも、該コンソールボックスの意匠部における結露の発生が抑制される。また、断熱材を間詰材として利用することにより、第１壁部の内面上に間詰材と断熱材とを各々別途配設する構成する場合に比べ、作業工程が低減し、配設作業が容易となる。
【００１１】
請求項４に記載の発明の空調ダクトの接続構造は、請求項３に記載の発明において、前記複数の壁部のうちの１つであって前記第１壁部に対向して配置された第２壁部は、前記コンソールボックスの収納体によって構成されており、該第２壁部において前記第１空気通路内に露出する内面上には、前記間詰材として断熱材が貼着されていることを要旨とする。
【００１２】
上記構成によれば、コンソールボックスの収納体を構成するとともに第１空気通路を構成する第２壁部の内面上には、間詰材として断熱材が貼着されている。これにより、空調ダクトのがたつきの抑制、空調空気の漏れの抑制のみならず、コンソールボックスの収納体の断熱効果が高められるため、該収納体の内部における結露の発生が抑制される。また、断熱材を間詰材として利用することにより、第２壁部の内面上に間詰材と断熱材とを各々別途配設する構成する場合に比べ、作業工程が低減し、配設作業が容易となる。
【００１３】
請求項５に記載の発明の空調ダクトの接続構造は、請求項４に記載の発明において、前記断熱材は、その一部が前記第２壁部の内面上から前記第１空気通路の外部へ向かって延出されており、該断熱材の一部が前記第２壁部の外面上に折り返されることによって折返部が形成されていることを要旨とする。
【００１４】
上記構成によれば、折返部が形成されることにより、連通部において第２壁部の端部は、断熱材によって覆われた状態とされている。これにより、第１空調ダクトの内側に第２空調ダクトが挿入される際、第２空調ダクトの端部によって断熱材が第２壁部の内面上から剥がれることが抑制される。
【発明の効果】
【００１５】
本発明の空調ダクトの接続構造によれば、空調ダクトのがたつきを抑制することができる。
【発明を実施するための最良の形態】
【００１６】
以下、本発明の空調ダクトの接続構造を具体化した一実施形態について説明する。なお、以下の記載では特に説明がない限り、車両の進行方向（前進方向）を前方と規定し、上下方向は、車両進行方向における上下方向に一致するものとする。
【００１７】
図１に示すように、コンソールボックス１１は、運転席及び助手席の間で車両前後方向に延びるように配設されている。このコンソールボックス１１の前端部は、車室内の前端部中央に配設される図示しないセンタパネルと接続されている。同コンソールボックス１１の後端部には、合成樹脂により有蓋長四角箱状に形成されたボックス本体１１ａが設けられている。図２に示すように、このボックス本体１１ａの内部（中央部）には、有底長四角箱状に形成された収納体１２が設けられている。
【００１８】
ボックス本体１１ａの左右両側部には、車両前後方向に延びる一対のサイドパネル１３が設けられている。これら一対のサイドパネル１３は、それぞれ収納体１２の左右両側壁１２ａから所定の間隔をおいて離間するとともに各側壁１２ａに対して平行に延びるように配設されている。ボックス本体１１ａの後端部には、車両幅方向に延びるリアパネル１４が設けられているうえ、該ボックス本体１１ａの上端部には、長四角板状をなし前記収納体１２の上面開口を開閉可能に閉塞する蓋体１５が設けられている（図１参照）。また、ボックス本体１１ａの左右両側部、より詳しくは各サイドパネル１３とこれに対向する収納体１２の側壁１２ａとの間には、第１空調ダクト１７が複数の壁部により形成されている。以下、サイドパネル１３、収納体１２、第１空調ダクト１７について順次説明する。
【００１９】
サイドパネル１３は、射出成形により成形されている。図２に示すように、サイドパネル１３は、ボックス本体１１ａの意匠部を構成する、第１空調ダクト１７の第１壁部１８を有している。この第１壁部１８には、第１空調ダクト１７を形成する壁部をそれぞれ構成する一対のリブ２１，２２が相対向して突設されている。また、ここでは、これら一対のリブ２１，２２のうち、上側のものを第１リブ２１、下側のものを第２リブ２２とする。これら一対のリブ２１，２２は、上下方向に離間して設けられている。各リブ２１，２２は、板状に形成されているうえ、車両前後方向に沿って延設されている。
【００２０】
収納体１２は、その内部に収納物を収納するべく、射出成形によって有底長四角箱状に成形されたものであり、図２及び図４に示すように、対向する左右一対の側壁１２ａと、前壁１２ｃとを有している。また、前壁１２ｃの下部には、左右一対の突部４１が設けられている。この突部４１は、板状に形成されており、車両前方に向かって突設されている。そして、側壁１２ａ及び突部４１は、前記第１壁部１８に対向して設けられており、空調ダクト１７の第２壁部を構成している。また、前記サイドパネル１３は、各リブ２１，２２の先端が側壁１２ａ及び突部４１に溶着されることにより、収納体１２に固定されている。なお、前記「溶着」の手段としては、超音波振動を利用した超音波溶着、高周波誘電加熱法を用いた高周波溶着の他、振動溶着、スピン溶着等の摩擦溶着や、熱板式溶着等の加熱溶着が挙げられる。
【００２１】
第１空調ダクト１７は、第１壁部１８と、第２壁部としての収納体１２の側壁１２ａ及び突部４１と、第３及び第４壁部としての第１リブ２１及び第２リブ２２との各壁部により、車両前後方向に延びる四角筒状に形成されている。そして、これら第１壁部１８、側壁１２ａ、突部４１、第１リブ２１及び第２リブ２２によって囲まれた内側に第１空気通路１７ａが形成されている。また、これら第１壁部１８、側壁１２ａ、突部４１、第１リブ２１及び第２リブ２２は、それぞれ射出成形によって成形されている。すなわち、第１空調ダクト１７は射出成形により成形されてなるものである。
【００２２】
図１に示すように、第１空調ダクト１７の後端はリアフェイスレジスタ２７となっている。そして、空気調和装置により供給された空調空気は、後述する第２空調ダクト４３及び第１空調ダクト１７を通じてリアフェイスレジスタ２７から車室内へ吹き出されるようになっている。
【００２３】
図２及び図４に示すように、第１壁部１８において前記第１空気通路１７ａ内に露出する内面１８ａ上、すなわち、第１壁部１８の内面１８ａ上で前記一対のリブ２１，２２の間には、断熱材２９が両面テープを介して貼着されている。この断熱材２９は、第１壁部１８の断熱効果を高め、該第１壁部１８における結露の発生を抑制するために用いられる。断熱材２９は、車両の前後方向に沿って前記第１壁部１８の内面１８ａ上に配設されている。該断熱材２９は、その前端が前記一対のリブ２１，２２の前端と揃うように配置されている（図２参照）。
【００２４】
前記断熱材２９の材料としては、例えば、発泡樹脂材料、無発泡樹脂材料、不織布、グラスウール、ロックウール等の多孔質材料が挙げられる。本実施形態では、好適な断熱性能を有する観点から発泡樹脂材料が使用されている。この発泡樹脂材料としては、エステル系又はエーテル系のポリウレタン、架橋又は無架橋ポリエチレン、ポリクロロプレン、スチレンブタジエン共重合体、ポリプロピレン、エチレン酢酸ビニル共重合体、ポリスチレン等が挙げられ、これらが単独又は併用して使用される。また、発泡樹脂材料は、断熱性能の向上という観点から、発泡倍率が１０〜４０倍のものが好ましい。なお、発泡樹脂材料には連続気泡のものと、独立気泡のものとがあり、何れを使用してもよい。ここで、連続気泡の発泡樹脂材料は材料中の気泡のうち一部又は全部が繋がっており、断熱性能に優れるという利点を有するため、本実施形態では断熱材２９を連続気泡の発泡樹脂材料で形成することが好ましい。
【００２５】
また、本実施形態では、収納体１２の側壁１２ａにおいて前記第１空気通路１７ａ内に露出する内面１２ｂ及び突部４１において前記第１空気通路１７ａ内に露出する内面４１ａに、上記と同様の断熱材３０が両面テープを介して貼着されている。断熱材３０は、車両の前後方向に沿って側壁１２ａ及び突部４１それぞれの内面１２ｂ，４１ａ上に配設されている。断熱材３０の前端部には折返部３０ａが形成されている。この折返部３０ａは、断熱材３０の前端部を突部４１の内面４１ａ上から前記第１空気通路１７ａの外部へ向けて延出させるとともに該突部４１の外面４１ｂ上に折り返すことにより形成されている。これにより、突部４１の内面４１ａは、断熱材３０によって覆われた状態とされている。そして、断熱材３０の端縁３０ｃは突部４１の外面４１ｂ上に配置されている。
【００２６】
図３に示すように、前記第１空調ダクト１７の前端に設けられた開口部１７ｂには、車両用の空気調和装置から延びる第２空調ダクト４３が接続されている。第２空調ダクト４３は、ブロー成形により成形されており、内部に第２空気通路４３ａを有している。この第２空調ダクト４３は、第１空調ダクト１７の開口部１７ｂの内側に挿入されており、この状態で双方の空調ダクト１７，４３が接続されている。これにより、第１空調ダクト１７の第１空気通路１７ａと第２空調ダクト４３の第２空気通路４３ａとを連通する連通部Ｒが形成される。なお、前記「連通部Ｒ」とは、第１空調ダクト１７の開口部１７ｂの内側において前記第２空調ダクト４３が挿入されている箇所、すなわち第１空気通路１７ａと第２空気通路４３ａとが重複する箇所（図３及び図４において二点鎖線で囲まれた箇所）をいう。
【００２７】
図４に示すように、この連通部Ｒでは、第１空調ダクト１７の内面と第２空調ダクト４３の外面とが、断熱材３０を介して密着されている。つまり、本実施形態では、断熱材３０を間詰材として利用している。より詳しくは、この連通部Ｒでは、第１壁部１８の内面１８ａとこれに対向する第２空調ダクト４３の外面とが、間詰材としての断熱材２９の前端部２９ｂを介して密着されている。また、突部４１の内面４１ａとこれに対向する第２空調ダクト４３の外面とが、間詰材としての断熱材３０の前端部３０ｂ（突部４１の内面４１ａ上に位置する、断熱材３０の前端部３０ｂ）を介して密着されている。さらに、この間詰材により、第１空調ダクト１７の内面と第２空調ダクト４３の外面との間が密封（シール）されるようになっている。
【００２８】
このように、本実施形態の断熱材の前端部（連通部Ｒに位置する箇所）は、主に第１空調ダクト１７の内面と第２空調ダクト４３の外面との密着性を高めるものとして機能する。一方、断熱材のうち前端部以外の箇所（前記連通部Ｒ以外に位置する箇所）は、主に第１壁部１８（サイドパネル１３）又は側壁１２ａの断熱効果を高めるものとして機能する。
【００２９】
さて、車両へのコンソールボックス１１の組み付けに際して、第１空調ダクト１７と第２空調ダクト４３とを接続する場合には、該第１空調ダクト１７の開口部１７ｂの内側に第２空調ダクト４３を挿入する。ここで、本実施形態では、断熱材３０の端縁３０ｃは突部４１の外面４１ｂ上に配置されているため、第１空調ダクト１７の開口部１７ｂへの第２空調ダクト４３の挿入に際し、該第２空調ダクト４３の端部が断熱材３０の端縁３０ｃに引っ掛かるといった不都合が生じない。そのため、第１空調ダクト１７の開口部１７ｂへの第２空調ダクト４３の挿入が容易となる。
【００３０】
また、該第２空調ダクト４３は、その端部を断熱材３０の前端部３０ｂ（突部４１の内面４１ａ上に位置する箇所）に押圧させながら挿入されるため、該挿入に伴って断熱材３０の前端部３０ｂが第１空気通路１７ａの内方へ引っ張られる。しかしながら、本実施形態では、断熱材３０の折返部３０ａが前記突部４１に係止されることにより、突部４１の内面４１ａ上における断熱材３０の貼着状態が維持される。このため、第１空調ダクト１７の開口部１７ｂの内側への第２空調ダクト４３の挿入に際し、突部４１の内面４１ａ上から断熱材３０が剥がされるといった不具合が生じることがない。
【００３１】
そして、図４に示すように、第１空調ダクト１７の開口部の内側に第２空調ダクト４３が挿入された状態では、第１壁部１８の内面１８ａと第２空調ダクト４３の外面とが断熱材２９（間詰材）を介して密着される。また、突部４１の内面４１ａと第２空調ダクト４３の外面とが断熱材３０（間詰材）を介して密着される。
【００３２】
ここで、第１空調ダクト１７の開口部１７ｂの内側に第２空調ダクト４３を挿入することで双方のダクト１７，４３を接続する場合の利点を説明する。本実施形態の第１空調ダクト１７は、射出成形により成形されるため、内面形状の成形精度と外面形状の成形精度とがほぼ等しく、その断面における内形サイズ及び外形サイズともに、ほぼ所望通りに設定されている。一方、本実施形態の第２空調ダクト４３は、ブロー成形により成形されているため、外面形状の成形精度が内面形状の成形精度よりも高く、その断面における外形サイズがほぼ所望通りに設定されている。そして、本実施形態では、第１空調ダクト１７及び第２空調ダクト４３において成形精度の高い面同士、すなわち第１空調ダクト１７の内面と第２空調ダクト４３の外面とを密着させた状態で、双方のダクト１７，４３を接続している。このため、第１空調ダクト１７の内面と第２空調ダクト４３の外面との間に隙間が形成されることがなく、これら両面の良好な密着状態が確保されるようになる。従って、本実施形態によれば、例えば車両の走行中における振動等により第２空調ダクト４３ががたつくといった不具合がほとんど生じない。
【００３３】
空気調和装置より供給された空調空気は、第２空調ダクト４３及び第１空調ダクト１７内を流通した後、リアフェイスレジスタ２７から車室内（後部座席側）へ吹き出される。このとき、上記コンソールボックス１１では、サイドパネル１３（第１壁部１８）の内面１８ａ及び収納体１２の側壁１２ａの内面１２ｂのそれぞれに断熱材が貼着されている。これにより、サイドパネル１３（意匠部）及び収納体１２の側壁１２ａの断熱効果が各々高められるため、第１空調ダクト１７の内部（空気通路１７ａ）と外部（車室内）との温度差が大きい場合にも、該サイドパネル１３の表面及び収納体１２の内部における結露の発生が抑制される。加えて、第１空調ダクト１７の内面と第２空調ダクト４３の外面との間に設けられた間詰材（断熱材２９，３０）により、双方の面同士がシールされる。このため、両面間からの空調空気の漏れが抑制されるようになる。
【００３４】
そして、本実施形態では、断熱材２９，３０の一部（前端部）をそれぞれ前記連通部Ｒに配設することで、該断熱材２９，３０の一部が前記間詰材として機能する。すなわち、本実施形態では、結露の抑制を図ろうとする箇所の内面（例えば、第１壁部１８の内面１８ａ）に断熱材を貼着する作業の過程において、間詰材が所定箇所に配設されることとなる。換言すれば、断熱材２９を貼着する作業、及び間詰材を貼着する作業の２つの作業を包括することができるようになる。従って、本実施形態によれば、第１壁部１８の内面１８ａ上に間詰材と断熱材とを各々別途配設する構成に比べ、それらの配設作業の工程が低減する。よって、断熱材及び間詰材の配設作業が容易となる。
【００３５】
前記の実施形態によって発揮される効果について、以下に記載する。
・  本実施形態では、第１空調ダクト１７の開口部１７ｂの内側に第２空調ダクト４３が挿入された状態で双方の空調ダクト１７，４３が接続されている。この状態においては、第１空調ダクト１７及び第２空調ダクト４３において成形精度の高い面同士、すなわち第１空調ダクト１７の内面と第２空調ダクト４３の外面とが間詰材を介して密着されている。このため、第１空調ダクト１７の内面と第２空調ダクト４３の外面との間に隙間が形成されることがなく、第１空調ダクト１７に対する第２空調ダクト４３のがたつきを好適に抑制することができる。
【００３６】
・  第１空調ダクト１７の内面と第２空調ダクト４３の外面との間が間詰材によりシールされるため、両者間からの空調空気の漏れを好適に抑制することができる。
・  第１壁部１８の内面１８ａ上、及び収納体１２の側壁１２ａの内面１２ｂ上には断熱材が貼着されている。このため、サイドパネル１３（意匠部）及び収納体１２の側壁１２ａの断熱効果が各々高められる。従って、第１空調ダクト１７の内部（第１空気通路１７ａ）と外部（車室内）との温度差が大きい場合にも、該サイドパネル１３の表面及び収納体１２の内部における結露の発生が抑制される。
【００３７】
・  本実施形態では、断熱材の一部（前端部）を間詰材として利用している。このため、例えば、第１壁部１８の内面１８ａ上に間詰材と断熱材とを各々別途配設する構成に比べ、配設作業の工程が低減され、ひいては間詰材及び断熱材の配設作業の容易化及び迅速化を図ることができる。
【００３８】
・  断熱材３０の前端部には折返部３０ａが形成されている。このため、第１空調ダクト１７の開口部への第２空調ダクト４３の挿入時においては、断熱材３０の折返部３０ａが前記突部４１に係止されることで、突部４１の内面４１ａ上における断熱材３０の貼着状態が維持されるようになる。このため、第１空調ダクト１７の開口部への第２空調ダクト４３の挿入に際し、突部４１の内面４１ａ上から断熱材３０が剥がされるといった不具合を回避することができる。
（変更例）
なお、本実施形態は、次のように変更して具体化することも可能である。
【００３９】
・  折返部３０ａを省略してもよい。この場合、断熱材３０は突部４１の外面４１ｂに貼着されることはなく、内面４１ａ上のみに貼着される。また、この場合、断熱材３０を、その端縁３０ｃが突部４１の前端と揃うように、内面４１ａ上に貼着することが好ましい。つまり、断熱材３０の端縁３０ｃと、突部４１の前端とを揃えた場合、第１空調ダクト１７の開口部１７ｂの内側に第２空調ダクト４３を挿入するとき、断熱材３０が剥がれるといった不具合を回避することができる。
【００４０】
・  断熱材と間詰材とを別部材により構成してもよい。つまり、断熱材を設けたうえ、第１空調ダクト１７の開口部１７ｂの内側、あるいは第２空調ダクト４３の先端の外面に、例えば四角環状をなす間詰材を嵌め込む等してもよい。
【００４１】
・  サイドパネル１３側の断熱材２９、及び収納体１２側の断熱材３０の双方を省略してもよい。こうした場合でも、成形精度の高い面同士の係合、すなわち第１空調ダクト１７の内面と第２空調ダクト４３の外面との係合により両ダクト１７，４３が接続されるため、両面の間に隙間が形成されることによる空調ダクトのがたつきを抑制することができる。
【００４２】
・  サイドパネル１３側の断熱材２９、又は収納体１２側の断熱材３０のいずれか一方を省略してもよい。
・  本実施形態では、第１空気通路１７ａを形成する１つの壁部（第１壁部）をサイドパネル１３により構成したが、これらを各個別に設ける構成を採用してもよい。すなわち、該サイドパネル１３と第１空調ダクト１７とを各個別に設ける構成を採用してもよい。
【００４３】
また、本実施形態では、第１空気通路１７ａを形成する１つの壁部（第２壁部）を収納体１２により構成したが、これらを各個別に設ける構成を採用してもよい。すなわち、該収納体１２と第１空調ダクト１７とを各個別に設ける構成を採用してもよい。
【００４４】
・  間詰材を省略してもよい。この場合、連通部Ｒには断熱材が配設されない。
・  第１空調ダクト１７の内面と第２空調ダクト４３の外面との間にのみ断熱材（間詰材）を設ける構成を採用してもよい。この場合、第１壁部１８の内面１８ａ、及び側壁１２ａの内面１２ｂにおける断熱材の貼着が省略される。
【００４５】
・  突部４１を省略してもよい。この場合、第１空気通路１７ａを形成する第２壁部は、収納体１２の側壁１２ａのみより構成される。
・  断熱材２９（３０）を、サイドパネル１３（収納体１２）に貼着する手段としては、両面テープに限定されるものではなく、例えば、接着剤等であってもよい。
【００４６】
・  第２空調ダクトは、空気調和装置から延びるダクトに限定されるものではなく、例えば、第１空調ダクト１７に接続されて車両後方へ延びるダクトであってもよい。
さらに、前記実施形態より把握できる技術的思想について以下に記載する。
【００４７】
・  前記第２空調ダクトは、車両の空気調和装置より延設されてなることを特徴とする空調ダクトの接続構造。
・  前記第１壁部は、前記サイドパネルによって構成されていることを特徴とする空調ダクトの接続構造。このように構成した場合、サイドパネルの表面における結露の発生を好適に抑制することができる。
【図面の簡単な説明】
【００４８】
【図１】本実施形態のコンソールボックスのボックス本体を示す斜視図。
【図２】第１空調ダクトと第２空調ダクトとの接続構造を示す斜視図。
【図３】第１空調ダクトと第２空調ダクトとの接続構造を示す側断面図。
【図４】図３における４−４線断面図。
【符号の説明】
【００４９】
１１…コンソールボックス、１２…収納体、１２ａ…第２壁部を構成する側壁、１２ｂ…内面、１７…第１空調ダクト、１７ａ…第１空気通路、１８…第１壁部、１８ａ…内面、２９，３０…断熱材、３０ａ…折返部、４１ｂ…第２壁部（突部）の外面、４３…第２空調ダクト、４３ａ…第２空気通路。
【図１】
2006290192.tif 000003
【図２】
2006290192.tif 000004
【図３】
2006290192.tif 000005
【図４】
2006290192.tif 000006